(57)【要約】      （修正有）【課題】軽量かつ安価に構成でき、着用者の作業性を低下させることなく、冷却位置や保温位置を容易に調整することができ、さらには、作業領域の環境に左右されることなく保冷及び保温を行なうこと等ができる、温度調節服を提供すること。【解決手段】保冷剤４又は保温剤を温度調節服に固定するための固定部３を備える。また、必要に応じて、固定部３を温度調節服における任意の位置に着脱自在に取付けるための取り付け部を備える。さらに、必要に応じて、固定部３によって固定された保冷剤による冷気又は保温剤による熱気を緩和する緩衝材を固定するための第２の固定部を設けてもよい。【選択図】図１
0003119943.tif 000002
【実用新案登録請求の範囲】
【請求項１】
保冷剤又は保温剤を当該温度調節服に固定するための固定手段、
を備えたことを特徴とする温度調節服。
【請求項２】
前記固定手段を、当該温度調節服における脇の下の位置に設けたこと、
を特徴とする請求項１に記載の温度調節服。
【請求項３】
前記固定手段を、当該温度調節服における襟元の位置に設けたこと、
を特徴とする請求項１又は２に記載の温度調節服。
【請求項４】
前記固定手段を、当該温度調節服における背面の位置に設けたこと、
を特徴とする請求項１から３のいずれか一項に記載の温度調節服。
【請求項５】
前記固定手段を、当該温度調節服における任意の位置に着脱自在に取付けるための取り付け手段、
を備えたことを特徴とする請求項１から４のいずれか一項に記載の温度調節服。
【請求項６】
前記固定手段によって固定された前記保冷剤による冷気又は前記保温剤による熱気を緩和する緩衝材を固定するための第２の固定手段、
を備えたことを特徴とする請求項１から５のいずれか一項に記載の温度調節服。
【考案の詳細な説明】
【技術分野】
【０００１】
本考案は、温度調節服に関するものであり、特に、着用者の体温を調整可能とする温度調節服に関する。
【背景技術】
【０００２】
各種のオフィスや工場等における業務環境を向上させるためには、そこで業務を行なう作業者の体温を適正温度にすることが好ましい。特に、食品を大量に調理する調理施設等では、食品製造機械や食品自体から発せられる蒸気や冷気によって作業室が高温多湿や低温になり易く、一般的な空調を行なうだけでは作業者の体温を適正化することが困難である。
【０００３】
このような問題を解決するため、近年では、作業着にファンを装着して送風可能としたファン付き作業着も実用化されている。このファン付き作業着は、例えば、作業着本体の背面に、ファンとバッテリーとを固定して構成されていた。これらファンとバッテリーとは相互に電線にて接続されており、バッテリーから供給された電力によってファンを回転させ、このファンによって生じた風をその着用者に当てることによって、着用者の体温を下げていた（例えば、特許文献１にはこのような目的で使用される送風機が開示されている）。
【０００４】
【特許文献１】特開２００５−３１５０８５号公報
【考案の開示】
【考案が解決しようとする課題】
【０００５】
しかしながら、このような従来のファン付き作業着は、作業着にファンやバッテリーのような重量物を固定していたので、作業着が重くなり、着心地が悪くなったり、作業着の重みが着用者の肩に掛かるために着用者の肩がこり易くなるという弊害を生じさせていた。また、ファンやバッテリーという複数の電気部品を用いるので、温度調節服の製造コストが高くなったり、電線が着用者の動きによって切断されて機能が停止する可能性があった。さらに、ファンやバッテリーが嵩張ったり、これらを相互に接続する電線によって着用者の動きが規制される場合があり、作業性が低下していた。さらには、ファンが作業着の所定位置に固定されていたので、ファンの風が当る位置を調整することができず、着用者の体形や周囲環境に応じて冷却位置を調整することができなかった。また、ファンを用いて温度調整を行なっていたので、ファンによって作業領域の高温多湿の空気等が作業着の内部に取り込まれてしまい却って体温を上げてしまう場合があったり、あるいは、低温環境下で着用者の体温を上げたい場合には使用できなかった。
【０００６】
本考案は、上記に鑑みてなされたものであって、軽量かつ安価に構成でき、着用者の作業性を低下させることなく、冷却位置や保温位置を容易に調整することができ、さらには、作業領域の環境に左右されることなく保冷及び保温を行なうこと等ができる、温度調節服を提供することを目的とする。
【課題を解決するための手段】
【０００７】
上述した課題を解決し、目的を達成するために、請求項１に記載の温度調節服は、保冷剤又は保温剤を当該温度調節服に固定するための固定手段を備えたことを特徴とする。
【０００８】
請求項２に記載の温度調節服は、請求項１に記載の温度調節服において、固定手段を、当該温度調節服における脇の下の位置に設けたこと、を特徴とする。
【０００９】
請求項３に記載の温度調節服は、請求項１又は２に記載の温度調節服において、前記固定手段を、当該温度調節服における襟元の位置に設けたこと、を特徴とする。
【００１０】
請求項４に記載の温度調節服は、請求項１から３のいずれか一項に記載の温度調節服において、前記固定手段を、当該温度調節服における背面の位置に設けたこと、を特徴とする。
【００１１】
請求項５に記載の温度調節服は、請求項１から４のいずれか一項に記載の温度調節服において、前記固定手段を、当該温度調節服における任意の位置に着脱自在に取付けるための取り付け手段、を備えたことを特徴とする。
【００１２】
請求項６に記載の温度調節服は、請求項１から５のいずれか一項に記載の温度調節服において、前記固定手段によって固定された前記保冷剤による冷気又は前記保温剤による熱気を緩和する緩衝材を固定するための第２の固定手段、を備えたことを特徴とする。
【考案の効果】
【００１３】
この考案によれば、保冷剤や保温剤を温度調節服に固定でき、保冷剤の冷気によって着用者の体温を下げることができ、あるいは、保温剤の熱気によって着用者の体温を上げることができて、生理的不快感を低減できるので、着用者の作業効率を向上させることができる。また、ファンやバッテリーのような重量物を固定する必要がないので、温度調節服の軽量性を維持でき、着用者の着心地を維持でき、その肩凝りを招くこともない。また、ファンやバッテリーという複数の電気部品を用いないので、温度調節服を安価に製造でき、着用者の動きによって機能が停止する可能性もない。さらに、電線によって着用者の動きが規制されることもないので、着用者の作業性を維持できる。さらには、固定部を複数設けることによって保冷剤の固定位置を任意に変更でき、着用者の体形や周囲環境に応じて冷却位置を調整できる。また、ファンを用いた温度調整とは異なり、作業領域の空気を温度調節服の内部に取り込むことがないので、作業領域が高温多湿であっても作業者の体温を下げることができ、低温環境下においては保冷剤に代えて保温剤を固定することで着用者の体温を上げることもできる。
【００１４】
また、高温多湿環境下において、着用者の体温が高くなり易く、また湿気が多くて不快感が高まり易い脇の下に保冷剤を固定可能としているので、着用者の体温を効率よく下げ、その不快感を効率よく軽減することができる。
【００１５】
また、高温多湿環境下において、着用者の体温が高くなり易く、また湿気が多くて不快感が高まり易い、襟元に保冷剤を固定可能としているので、着用者の体温を効率よく下げ、その不快感を効率よく軽減することができる。あるいは、低温環境下において、体の冷えの原因になり易い、襟元に保温剤を固定可能としているので、着用者の体温を効率よく上げ、その不快感を効率よく軽減することができる。
【００１６】
また、低温環境下において、体の冷えの原因になり易い、背面に保温剤を固定可能としているので、着用者の体温を効率よく上げ、その不快感を効率よく軽減することができる。
【００１７】
また、任意の位置に固定部を取り付けできるので、着用者は、自己の体温や周囲環境に応じた任意の位置に固定部を取り付け、この固定部に保冷剤や保温剤を収容することで、所望の部位の体温を調節できる。
【００１８】
また、緩衝材を固定できるので、着用者は、体温や周囲環境に応じた枚数の緩衝材を固定して、保冷剤の冷気や保温剤の熱気を任意に調節できる。
【考案を実施するための最良の形態】
【００１９】
以下に添付図面を参照して、この考案に係る温度調節服の各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本考案が限定されるものではない。
【００２０】
〔Ｉ〕各実施の形態に共通の基本的概念
まず、各実施の形態に共通の基本的概念について説明する。各実施の形態に係る温度調節服は、当該温度調節服を着用した着用者の体温を調整するためのものである。ここで温度調節服の具体的な用途や基本構成は任意であり、例えば、食品工場において着用者が着用する作業服（調理服）や、医療機関において医療関係者が着用する白衣、あるいは、オフィスにおいてオフィスワーカーが着用する背広等、任意の衣服に適用できる。この温度調節服は、概略的には、保冷剤（冷却剤）や保温剤を固定可能としたものである。すなわち、着用者の体温を下げたい場合には保冷剤、体温を上げたい場合には保温剤を固定できる。以下の各実施の形態では、保冷剤を固定する場合について説明するが、保温剤も同一構造にて固定できる。この固定構造では、比較的重い部品や電気部品を必要としないので、温度調節服を簡易かつ安価に構成できる。特に、この保冷剤や保温剤の取り付け構造や、保冷剤の冷気や保温剤の熱気の着用者に対する伝達構造を工夫することにより、体温調整を容易かつ適性に行なうことができる。以下、このような工夫を施した各実施の形態について具体的に説明する。
【００２１】
〔II〕各実施の形態の具体的内容
〔実施の形態１〕
次に、本考案に係る各実施の形態の具体的内容について説明する。まず、実施の形態１について説明する。図１は、本実施の形態１に係る温度調節服の正面図、図２は、図１の温度調節服の背面図、図３は、固定部の拡大図である。これら図１〜３に示すように、本実施の形態１に係る温度調節服（作業着）１は、概略的に、服本体２と、固定部３とを備えて構成されている。
【００２２】
このうち、服本体２は、公知の作業着として構成されており、胴体２ａに襟２ｂ及び左右一対の袖２ｃをそれぞれ縫い合わせて構成されている。この服本体２の具体的材質は任意であるが、例えば、通気性に優れたポリエステルにて構成されている。
【００２３】
固定部３は、服本体２に保冷剤４を固定するためのもので、実用新案登録請求の範囲における固定手段に対応する。この固定部３は、保冷剤４を固定し得る限りにおいて任意の構造にて構成可能であるが、ここでは、服本体２の外側に１枚の布地を縫い合わせることにより、袋状の固定部３を形成している。図３に示すように、この袋状の固定部３の上辺には開口部３ａが設けられており、この開口部３ａを介して保冷剤４を出し入れすることができる。なお、１つの固定部３には保冷剤４を１つ収容することを意図しているが、１つの固定部３に複数の保冷剤４を収容可能とし、着用者の体温や周囲環境に応じて保冷剤４の数を増減することで、冷却効果を調整可能としてもよい。
【００２４】
また、図３に示すように、固定部３の開口部３ａには、当該開口部３ａを開閉するための開閉手段として、ファスナー３ｂが設けられており、保冷剤４が固定部３から不用意に脱落するようなことが防止されている。なお、図示は省略するが、開閉手段としては、ファスナー３ｂ以外にも、ボタンやフックを用いることができる。
【００２５】
ここで、服本体２に対する固定部３の配置位置は任意であるが、本実施の形態１においては、図１、２に示すように、服本体２における脇の下、襟元、及び、背面にそれぞれ固定部３が設けられている。これらの部位のうち、脇の下や襟元は、高温多湿環境下において、特に着用者の体温が高くなり易く、また湿気が多くて不快感が高まり易い部位であるため、このような部位に保冷剤４を固定可能とすることで、着用者の体温を効率よく下げ、その不快感を効率よく軽減することができる。また、襟元や背面は、低温環境下において、特に体の冷えの原因になり易い部位であるため、このような部位に保温剤を固定可能とすることで、着用者の体温を効率よく上げ、その不快感を効率よく軽減することができる。なお、これら複数の固定部３の一部にのみ保冷剤４や保温剤を収容してもよく、着用者は、自己の体温や周囲環境に応じて、保冷剤４や保温剤の固定位置を選択できる。
【００２６】
固定部３によって固定される保冷剤４の具体的構成は任意であるが、繰り返し使用可能なものや、着用者の体形に合わせて変形可能なものが好ましく、例えば、高吸水性樹脂（吸水ポリマー）や水溶性高分子基剤を樹脂袋に密閉して構成された保冷剤４を使用することができる。このような保冷剤４を冷凍庫にて所定時間冷却して固定部３に入れることで、この保冷剤４の冷気が服本体２を透過して着用者の体温を冷やす。
【００２７】
（実施の形態１の効果）
このように実施の形態１によれば、保冷剤４を固定する固定部３を設けたので、保冷剤４を温度調節服１に固定でき、保冷剤４の冷気によって着用者の体温を下げることができ、生理的不快感を低減できるので、着用者の作業効率を向上させることができる。また、ファンやバッテリーのような重量物を固定する必要がないので、温度調節服１の軽量性を維持でき、着用者の着心地を維持でき、その肩凝りを招くこともない。また、ファンやバッテリーという複数の電気部品を用いないので、温度調節服１を安価に製造でき、着用者の動きによって機能が停止する可能性もない。さらに、電線によって着用者の動きが規制されることもないので、着用者の作業性を維持できる。さらには、固定部３を複数設けることによって保冷剤４の固定位置を任意に変更でき、着用者の体形や周囲環境に応じて冷却位置を調整できる。また、ファンを用いた温度調整構造とは異なり、作業領域の空気を温度調節服１の内部に取り込むことがないので、作業領域が高温多湿であっても作業者の体温を下げることができ、低温環境下においては保冷剤４に代えて保温剤を固定することで着用者の体温を上げることもできる。さらには、開口部をファスナーで開閉可能としているので、保冷剤４が固定部３から不用意に脱落するようなことも防止できる。また、着用者の体温が高くなり易く、また湿気が多くて不快感が高まり易い部位に保冷剤４を固定可能としているので、着用者の体温を効率よく下げ、その不快感を効率よく軽減することができる。
【００２８】
〔実施の形態２〕
次に、本考案の実施の形態２に係る温度調節服の具体的内容について説明する。この実施の形態２は、固定部を温度調節服における任意の位置に着脱自在に取り付け可能とした形態であり、かつ、保冷剤４の冷気を緩和する緩衝剤を固定可能とした形態である。図４は、実施の形態２に係る温度調節服の正面図、図５は、固定部の拡大図である。なお、実施の形態２の構成は特記する場合を除いて実施の形態１の構成と略同一であり、実施の形態１の構成と略同一の構成については、必要に応じて、実施の形態１で用いたのと同一の符号を必要に応じて付して、その説明を省略する。
【００２９】
本実施の形態２に係る温度調節服５は、概略的に、服本体２と、固定部６と、取り付け部７とを備えて構成されている。固定部６は、服本体２に保冷剤４を固定するためのもので、実用新案登録請求の範囲における固定手段に対応する。この固定部６は、図５に示すように、服本体２から分離可能な袋状体として構成されており、その上辺の開口部６ａを介して、当該固定部６に保冷剤４を出し入れできる。また、開口部６ａには、実施の形態１と同様に、開口部６ａを開閉するためのファスナー６ｂが設けられている。
【００３０】
再び図４に戻り、取り付け部７は、固定部６を温度調節服５における任意の位置に着脱自在に取付けるためのものであり、実用新案登録請求の範囲における取付け手段に対応する。この取り付け部７は、ループ状突起を多数設けたループ部７ａと、このループ状突起に係脱自在に係止するカギ状突起を多数設けたフック部７ｂとを、一対に備えて構成されている。そして、ループ部７ａは、服本体２における脇の下、襟元、及び、背面（背面についての図示は省略する）に縫い合わされることで固定されている。一方、フック部７ｂは、固定部６の一側面に縫い合わされることで固定されている。従って、固定部６のフック部７ｂを、脇の下、襟元、あるいは、背面のいずれかのループ部７ａに押し当てることで、固定部６をこれら脇の下、襟元、あるいは、背面のいずれかに固定できる。また、逆方向の動作を行うことで、固定部６を脇の下、襟元、あるいは、背面から取り外すことができる。従って、着用者は、自己の体温や周囲環境に応じた任意の位置に固定部６を取り付け、この固定部６に保冷剤４を収容することで、所望の部位の体温を下げることができる。
【００３１】
また、図５に示すように、固定部６の内部には、内袋６ｃが設けられている。この内袋６ｃは、固定部６によって固定された保冷剤４による冷気（保温剤の固定時にはこの保温剤の熱気）を緩和する緩衝材８を固定するためのもので、実用新案登録請求の範囲における第２の固定手段に対応する。この内袋６ｃは、固定部６の内部における、服本体２に近接する側に設けられた空間部であり、開口部６ａを介して、この内袋６ｃに緩衝材８を出し入れできる。この緩衝材８は、保冷剤４による冷気を緩和し得る限りにおいて任意の構成を取り得るが、例えば、冷気によって生じ得る結露水に対する吸水性が高いものが好ましく、例えば、ガーゼ（綿製の平織布）を用いることができる。この内袋６ｃは特にその厚み方向において余裕を持った寸法で形成されており、１枚から複数枚の緩衝材８を収容可能である。従って、着用者は、体温や周囲環境に応じた枚数の緩衝材８を固定して、保冷剤４の冷気を任意に調節できる。
【００３２】
このように実施の形態２によれば、実施の形態１と同様の効果に加えて、着用者は、自己の体温や周囲環境に応じた任意の位置に固定部６を取り付け、この固定部６に保冷剤４を収容することで、所望の部位の体温を下げることができる。また、着用者は、体温や周囲環境に応じた枚数の緩衝材８を固定して、保冷剤４の冷気を任意に調節できる。
【００３３】
〔III〕実施の形態に対する変形例
以上、本考案の各実施の形態について説明したが、本考案の具体的な構成及び手段は、実用新案登録請求の範囲に記載した各考案の技術的思想の範囲内において、任意に改変及び改良することができる。以下、このような変形例について説明する。
【００３４】
（解決しようとする課題や考案の効果について）
まず、考案が解決しようとする課題や考案の効果は、前記した内容に限定されるものではなく、本考案によって、前記に記載されていない課題を解決したり、前記に記載されていない効果を奏することもでき、また、記載されている課題の一部のみを解決したり、記載されている効果の一部のみを奏することがある。例えば、製造コストの問題点を解決できていない場合であっても、冷却位置の調整度の問題を解決できている限りにおいて、本考案の課題が解決されている。
【００３５】
（固定手段について）
固定手段としては、例えば、服本体２を二重の布地で縫製し、この布地の間に保冷剤４や保温剤を固定的に充填することも考えられる。また、服本体２の外側でなく、内側に保冷剤４や保温剤を固定可能とすることで、冷却効果や加熱効果を高めてもよい。また、固定手段を構成する布地や、固定手段が固定される服本体２の部分を、メッシュ生地にて構成することで、冷気や熱気の通過効率を向上させてもよい。
【００３６】
（取り付け手段について）
取り付け手段としては、保冷剤４や保温剤に直接ボタンやフックを固定し、これを服本体２に設けたボタンやフック受けに留めることも考えられる。また、また、服本体２の外側でなく、内側に固定手段を取り付け可能とすることで、冷却効果や加熱効果を高めてもよい。さらに、固定手段の取り付け候補箇所のうち、特に保冷や保温の要求が高い箇所については固定手段を恒久的に取り付け、その他の箇所にのみ固定手段を着脱自在に取り付け可能としてもよい。
【００３７】
（第２の固定手段について）
固定手段の全てではなく、特に温度調節の要求が高い固定手段にのみ第２の固定手段を設けてもよい。また、固定手段と同様に、第２の固定手段についても、ボタンやフックを用いて緩衝材８を固定可能としてもよい。
【産業上の利用可能性】
【００３８】
この考案に係る温度調節服は、作業者の体温を調整することに有用であり、高温多湿環境や低温環境における作業者の作業性を維持・向上することに適している。
【図面の簡単な説明】
【００３９】
【図１】本考案の実施の形態１に係る温度調節服の正面図である。
【図２】図１の温度調節服の背面図である。
【図３】固定部の拡大図である。
【図４】実施の形態２に係る温度調節服の正面図である。
【図５】固定部の拡大図である。
【符号の説明】
【００４０】
１、５  温度調節服
２  服本体
２ａ  胴体
２ｂ  襟
２ｃ  袖
３、６  固定部
３ａ、６ａ  開口部
３ｂ、６ｂ  ファスナー
４  保冷剤
６ｃ  内袋
７  取り付け部
７ａ  ループ部
７ｂ  フック部
８  緩衝材
【図１】
0003119943.tif 000003
【図２】
0003119943.tif 000004
【図３】
0003119943.tif 000005
【図４】
0003119943.tif 000006
【図５】
0003119943.tif 000007